(57)【要約】【課題】既納の織機に対して容易に適用することができる織機の止段調整装置を提供する。【解決手段】止段調整装置２０は、織機の止段調整装置を構成し、カメラ２１及びモニタ装置２２を有している。止段調整装置２０のカメラ２１は、モニタ装置２２の内部に設けられた解析回路部２４に接続されている。解析回路部２４は、カメラ２１から送られてきた画像信号を画像処理して解析する機能を有している。止段調整装置２０はエアジェット織機１０とは独立して持ち運び可能に構成されている。【選択図】図３
2019039093.tif 000002
【特許請求の範囲】
【請求項１】
織布を撮影するカメラと、
前記カメラに接続され、前記カメラの撮影画像を解析する解析回路部と、
前記解析回路部に接続され、前記カメラの撮影画像の解析結果を表示する表示部と、
前記解析結果又は前記解析結果に基づく調整操作量を織機制御部へ出力する出力部と
を織機とは独立して備える織機の止段調整装置。
【請求項２】
前記カメラは、照明装置を有する請求項１に記載の織機の止段調整装置。
【請求項３】
前記表示部に表示された前記解析結果に基づいて止段調整のための調整操作量を入力する入力部を有する請求項１又は請求項２に記載の織機の止段調整装置。
【発明の詳細な説明】
【技術分野】
【０００１】
この発明は、織機の止段調整装置に関し、特に、画像解析により織布の止段を検出し、止段を解消するように織機の各装置の調整を行う止段調整装置に関する。
【背景技術】
【０００２】
織機の運転が何らかの理由で停止した場合に、織布に止段と呼ばれる欠点が発生する場合がある。止段が発生した場合には、織機の送出装置、巻取装置、開口装置等の調整を行って止段を解消させる。特許文献１には、カメラと、カメラにより撮影された画像を解析する解析回路と、解析回路での解析結果や解析結果に基づく対処データが表示される画面表示器を備えた織機設定器が設けられた織機の止段調整装置が記載されている。
【先行技術文献】
【特許文献】
【０００３】
【特許文献１】特開２００４−１３１８６７号公報
【発明の概要】
【発明が解決しようとする課題】
【０００４】
しかしながら、特許文献１の織機の止段調整装置は、織機毎にカメラや解析回路を組み込んで止段調整装置を構成したものである。そのため、カメラや解析回路を備えていない既に製造・販売され稼動中の織機、すなわち既納の織機を改修して止段調整装置を有する織機とすることは煩雑であり又は困難であるという問題点があった。
【０００５】
この発明は、このような課題を解決するためになされたものであり、既納の織機に対して容易に適用することができる織機の止段調整装置を提供することを目的とする。
【課題を解決するための手段】
【０００６】
上記の課題を解決するために、この発明に係る織機の止段調整装置は、織布を撮影するカメラと、カメラに接続され、カメラの撮影画像を解析する解析回路部と、解析回路部に接続され、カメラの撮影画像の解析結果を表示する表示部と、解析結果又は解析結果に基づく調整操作量を織機制御部へ出力する出力部とを織機とは独立して備えている。
【０００７】
また、カメラは、照明装置を有してもよい。
また、解析結果に基づく止段調整のための調整操作量を入力する入力部を有していてもよい。
【発明の効果】
【０００８】
この発明に係る織機の止段調整装置によれば、織布を撮影するカメラと、カメラに接続され、カメラの撮影画像を解析する解析回路部と、解析回路部に接続され、カメラの撮影画像の解析結果を表示する表示部と、解析結果又は解析結果に基づく調整操作量を織機制御部へ出力する出力部とを織機とは独立して備えているので、止段調整装置を織機の織機制御部に接続するだけで止段を解消するための調整操作を行うことが可能となる。したがって、カメラや解析回路を備えていない既納の織機に対して容易に適用することができる。
【図面の簡単な説明】
【０００９】
【図１】この発明の実施の形態に係る織機及び織機の止段調整装置の概略図である。
【図２】図１に示す織機の止段調整装置の側面からの概略図である。
【図３】図１に示す織機の止段調整装置のブロック図である。
【発明を実施するための形態】
【００１０】
以下、この発明の実施の形態について添付図面に基づいて説明する。
図１に示すように、エアジェット織機１０の左端には、エアジェット織機１０の動作状態の確認及び操作を行うためのファンクションパネル１２が設けられている。また、エアジェット織機１０の上部に設けられているトップレール３０に止段調整装置２０が取り付けられている。止段調整装置２０は、織機の止段調整装置を構成し、カメラ２１及びモニタ装置２２を有している。カメラ２１は、トップレール３０に取り付けられたアーム３１によりトップレール３０に取り付けられている。また、モニタ装置２２は図示しない取付金具により、トップレール３０に取り付けられている。
【００１１】
トップレール３０の下方には、緯糸を筬打ちして織布４０にするための筬５０が設けられている。また、織布４０は巻取装置５１により巻き取られ、カメラ２１の下方を移動する。なお、図１では送出装置や開口装置の図示が省略されている。
【００１２】
図２に、トップレール３０へのカメラ２１の取付状態の詳細を示す。アーム３１の一端が、矩形の断面を有するトップレール３０に接している。そして、アーム３１の一端にボルト３２が挿通され、ボルト３２は裏板３３に締結されている。これにより、アーム３１はトップレール３０に取り付けられている。
【００１３】
アーム３１は、中間付近でＬ字状に屈折している。アーム３１の他端には、カメラ２１が取り付けられている。アーム３１の屈折により、カメラ２１は織布４０に対向し、且つ視線軸が織布４０に向けられて設けられている。
【００１４】
また、カメラ２１には、カメラ２１の視線軸と同じ方向を照射する照明装置２３が設けられている。照明装置２３により、カメラ２１は織布４０を撮影するために十分な光量を得ることができる。
【００１５】
図３に、止段調整装置２０のシステム構成を示す。止段調整装置２０のモニタ装置２２は、解析回路部２４及びタッチパネル２５を有している。カメラ２１は、モニタ装置２２の内部に設けられた解析回路部２４に接続されている。なお、カメラ２１とモニタ装置２２との接続は有線でも無線でもよい。解析回路部２４は、カメラ２１から送られてきた画像信号を画像処理して解析する。
【００１６】
解析回路部２４には、タッチパネル２５が接続されている。タッチパネル２５は表示部を構成しており、解析回路部２４による画像信号の解析結果を表示すると共に、作業者が止段調整のための調整操作量を入力する入力部として構成されている。
【００１７】
また、モニタ装置２２の出力部２６は、エアジェット織機１０の織機制御部１１に図示しない接続コードにより電気的に接続される。なお、モニタ装置２２と織機制御部１１との接続は無線でもよい。これにより、タッチパネル２５に入力された調整操作量が解析回路部２４及び出力部２６を経由して織機制御部１１へ入力される。織機制御部１１は入力された調整操作量に従って各部を制御する。
【００１８】
モニタ装置２２とエアジェット織機１０の織機制御部１１との接続を外すことにより、止段調整装置２０は別のエアジェット織機１０に接続することができる。すなわち、止段調整装置２０はエアジェット織機１０とは独立して持ち運び可能に構成されている。
【００１９】
そのため、工場において複数のエアジェット織機１０に対して止段調整装置２０を工具のように１つ用意しておき、必要に応じてエアジェット織機１０に設置及び接続して使用することが可能である。ゆえに、各エアジェット織機１０に止段調整装置２０をそれぞれ設ける必要が無いので、工場全体で止段調整装置２０の数量を少なくすることができ、工場設備のコストを削減することができる。
【００２０】
また、止段調整機能を有さない既納のエアジェット織機１０に対して、本実施の形態の止段調整装置２０を導入することで、容易に止段調整機能を追加することが可能である。
【００２１】
次に、この実施の形態に係る止段調整装置２０の動作について図１〜図３を用いて説明する。
製織中に何らかのトラブルによりエアジェット織機１０が停止したときに、織布４０に織物欠陥である止段が発生する場合がある。
【００２２】
織布４０に止段が発生したか否かを検査するときには、止段調整装置２０をエアジェット織機１０の織機制御部１１に接続する。次に、カメラ２１は織布４０を撮影し、撮影結果を解析回路部２４に送信する。
【００２３】
次に、解析回路部２４は撮影結果を画像処理して画像解析し、織布４０に止段が発生しているか否か及び止段の種類や程度を解析する。そして、解析結果をタッチパネル２５へ送信し、タッチパネル２５は解析結果を表示する。
【００２４】
次に、タッチパネル２５に表示された解析結果を作業者が確認して、解析結果に応じてタッチパネル２５を操作することにより、エアジェット織機１０の送出装置、巻取装置、開口装置等への調整操作量が解析回路部２４に入力される。次に、解析回路部２４は調整操作量を出力部２６を介して織機制御部１１に出力する。そして、織機制御部１１に出力された調整操作量により、織機制御部１１は止段を解消するためにエアジェット織機１０の送出装置、巻取装置、開口装置等の操作量を自動で適切に調整する。
【００２５】
他のエアジェット織機１０における止段の発生を確認するためには、前述したように、現在接続中の止段調整装置２０とエアジェット織機１０との接続を外し、止段の発生を確認したいエアジェット織機１０に、止段調整装置２０を接続する。これにより、一つの止段調整装置２０を持ち運び、複数のエアジェット織機１０において止段の発生を確認し、止段調整を行うことができる。
【００２６】
上記したように、この実施の形態の止段調整装置２０では、カメラ２１により織布４０の撮影が行われ、解析回路部２４により撮影結果の解析が行われるので、止段が発生したか否か及び止段の種類や程度の検査を特別な経験や勘を必要とすることなく簡単に行うことができる。
【００２７】
また、この実施の形態の止段調整装置２０はモニタ装置２２のタッチパネル２５を有しているので、織布４０の解析結果の確認と、止段解消のためのエアジェット織機１０の送出装置、巻取装置、開口装置等に対する調整操作量の出力とを止段調整装置２０の設置位置で行うことができ、作業者がファンクションパネル１２まで移動する必要が無いため作業時間が短縮される。
【００２８】
このように、織布４０を撮影するカメラ２１と、カメラ２１に接続され、カメラ２１の撮影画像を解析する解析回路部２４と、解析回路部２４に接続され、カメラ２１の撮影画像の解析結果を表示するタッチパネル２５と、解析結果に基づく調整操作量を織機制御部１１へ出力する出力部２６とを備えているので、止段の種類及び程度に基づいて自動的に調整操作量を生成する機能がエアジェット織機１０の織機制御部１１に組み込まれていない既納のエアジェット織機１０であっても止段調整装置２０を容易に適用することができる。
【００２９】
また、カメラ２１は、照明装置２３を有するので、カメラ２１が織布４０の止段を測定するために必要な光量を得ることができる。
【００３０】
なお、この実施の形態では止段調整装置２０はトップレール３０に取り付けられていたが、テンプル装置上のカバーに取り付けてもよいし、経糸を上下に開いて緯糸を挿入する空間を作る装置である開口装置のスタンドや、織機のフロントカバーに取り付けてもよい。また、止段調整装置２０をトップレール３０等の織機の構造部材に取り付けるのではなく、織布４０の上に置くだけとしてもよい。
【００３１】
また、この実施の形態では止段調整装置２０はエアジェット織機１０に設けられていたが、他の種類の織機に設けられてもよい。また、この実施の形態では止段調整装置２０は織布４０の止段のみの解析を行っていたが、止段の解析に加えて左右色差、毛羽検知及び横方向の緩みなどの解析を行うようにしてもよい。
また、解析回路部２４による織布４０の解析結果に基づき自動的に調整操作量を生成する生成部を止段調整装置２０に設け、作業者の入力に依らずに生成部で生成された調整操作量を出力部２６を介して織機制御部１１へ出力するようにしてもよい。
また、止段の種類及び程度が入力されると自動的に調整操作量を生成する機能がエアジェット織機１０の織機制御部１１に組み込まれている場合は、止段調整装置２０からは解析回路部２４による解析結果をエアジェット織機１０の織機制御部１１に出力するようにしてもよい。
【符号の説明】
【００３２】
２１  カメラ、２３  照明装置、２４  解析回路部、２５  タッチパネル（表示部及び入力部）、２６  出力部、４０  織布。
【図１】
2019039093.tif 000003
【図２】
2019039093.tif 000004
【図３】
2019039093.tif 000005